(57)【要約】      （修正有）【課題】小型でありながら操作ストロークが長いプッシュスイッチを提供する。【解決手段】クリックバネ１２は、上方へ突出して円形のドーム状に形成された膨出部１２ａの周囲に延出して鍔部１２ｂが形成され、平面視したときに正方形に模した外形形状に形成されており、その四隅の角に、鍔部１２ｂから延出して形成されるとともに、膨出部１２ａの突出方向に対して反する方向に傾斜して形成された脚部１２ｃを有する構成とすることで、小型でありながら操作ストロークを長くすることを可能とした。また、プッシュスイッチ１００は、クリックバネ１２を接点部品として用いることで、小型でありながら操作ストロークを長くすることを可能とした。【選択図】図１０
0003178218.tif 000002
【実用新案登録請求の範囲】
【請求項１】
上方へ突出して円形のドーム状に形成された膨出部と、前記膨出部の周囲に延出して形成された鍔部とを有して、平面視で正方形に模した外形形状となっていることを特徴とするクリックバネ。
【請求項２】
前記膨出部の外周端から前記鍔部の外周端までの幅寸法は、少なくとも材料の板厚寸法の２倍以上の寸法で形成されていることを特徴とする請求項１に記載のクリックバネ。
【請求項３】
平面視した場合の四隅の角に、前記鍔部から延出するとともに、前記膨出部の突出方向に対して反する方向に傾斜して形成された脚部を有することを特徴とする請求項１または請求項２のいずれかに記載のクリックバネ。
【請求項４】
前記脚部は、前記膨出部の外周端に略一致する第１円と同心で、かつ、直径の大きい第２円を境にして傾斜して形成されていることを特徴とする請求項３に記載のクリックバネ。
【請求項５】
前記脚部は、外形形状に略一致する第１正方形と同心で、かつ、第１正方形に対して４５°ずらした第２正方形を境にして傾斜して形成されていることを特徴とする請求項３に記載のクリックバネ。
【請求項６】
前記鍔部は、前記膨出部から水平方向に延出しており、前記脚部は、前記脚部の先端が配置される面に対して平行な面となるように段差部を有していることを特徴とする請求項５に記載のクリックバネ。
【請求項７】
前記脚部の両側に切り欠き部を設けたことを特徴とする請求項６に記載のクリックバネ。
【請求項８】
請求項1ないし請求項６に記載のクリックバネと、前記クリックバネが接触する固定接点を備え、前記クリックバネを収容可能なハウジングと、を有するプッシュスイッチにおいて、
前記クリックバネは、導電性を備えた材料からなり、
前記ハウジングは、前記クリックバネを支持する支持部を有し、
該支持部は、前記クリックバネの四隅の角近傍に対応する位置に形成されて、前記クリックバネを支持していることを特徴とするプッシュスイッチ。
【請求項９】
可撓性を備え、第１接点部が設けられた第1基材と、第２接点部が設けられた第２基材と、前記請求項1ないし請求項６に記載のクリックバネと、を有するプッシュスイッチにおいて、
前記第１接点部と前記第２接点部とが対向するとともに、前記第２基材の上方に、前記第１基材が離間して配置され、
前記クリックバネは、前記第１基材の前記第１接点部が設けられた箇所の裏面に重ねて配置されていることを特徴とするプッシュスイッチ。
【考案の詳細な説明】
【技術分野】
【０００１】
本考案は、クリックバネと、そのクリックバネを用いたプッシュスイッチに関し、特に、小型でありながら操作ストロークが長いクリックバネとそのクリックバネを用いたプッシュスイッチに関するものである。
【背景技術】
【０００２】
電気製品の各種操作部には、操作した際に操作者に操作したことが操作感触として伝わるように、クリック感触のあるクリックバネや、このようなクリックバネを内蔵したプッシュスイッチなどが用いている。昨今、携帯電話機などの小型の電気製品が増えており、電気製品の小型化にともない、取り付けられるクリックバネや、そのクリックバネを用いたプッシュスイッチにも小型化が求められている。
【０００３】
また、クリックバネや、クリックバネを用いたプッシュスイッチを小型化すると、小型化した分だけ操作ストロークが短くなってしまうが、明確な操作感触を確保するために、小型でも操作ストロークの長いクリックバネや、小型でも操作ストロークの長いクリックバネを用いたプッシュスイッチが求められている。
【０００４】
操作ストロークの長い小型のプッシュスイッチを実現するためのドームコンタクト（クリックバネ）を備えたプッシュスイッチとしては、下記の特許文献１に記載のプッシュスイッチＳＷが知られている。
【０００５】
以下、図１６を用いて、特許文献１に記載のドームコンタクトＤＣについて説明する。図１６は、特許文献１に記載のプッシュスイッチＳＷのドームコンタクトＤＣの外観を示す図である。
【０００６】
特許文献１に記載のドームコンタクトＤＣは、導電性と弾性を有した板材であるバネ片ＳＰの中心に、ドーム形状に突出して形成されたドーム部ＤＯを有している。ドームコンタクトＤＣはドーム部ＤＯが突出している方向から見たときに、ドーム部ＤＯを中心とした長方形に形成されている。
【０００７】
また、長方形の四隅に当たる部分には、ドームコンタクトＤＣを配置する面に対してドーム部ＤＯを四隅で架橋し両持ちブリッジ形状の跳ね上げ部ＣＯが形成されている。
【０００８】
また、バネ片ＳＰの短辺には、跳ね上げ部ＣＯと跳ね上げ部ＣＯとの中間地点に立ち上げ部ＳＵが設けられ、ドーム部ＤＯが突出する方向に突出して形成されている。
【先行技術文献】
【特許文献】
【０００９】
【特許文献１】特開平１１−１４４５８８号公報
【考案の概要】
【考案が解決しようとする課題】
【００１０】
特許文献１に記載のドームコンタクトＤＣを用いたプッシュスイッチＳＷは、従来の小型のプッシュスイッチに比較して、ドームコンタクトＤＣにクラックが発生することなく、長い操作ストロークを確保することができた。しかしながら、上記プッシュスイッチＳＷを更に小型化した場合には、十分な操作ストロークを確保することが困難である。
【００１１】
本考案は、上述した課題を解決して、更に小型化した場合でも操作ストロークが長いクリックバネとそのクリックバネを用いたプッシュスイッチを提供するものである。
【課題を解決するための手段】
【００１２】
請求項１に記載のクリックバネは、上方へ突出して円形のドーム状に形成された膨出部と、前記膨出部の周囲に延出して形成された鍔部とを有して、平面視で正方形に模した外形形状となっている、という特徴を有する。
【００１３】
請求項２に記載のクリックバネは、前記膨出部の外周端から前記鍔部の外周端までの幅寸法は、少なくとも材料の板厚寸法の２倍以上の寸法で形成されている、という特徴を有する。
【００１４】
請求項３に記載のクリックバネは、平面視した場合の四隅の角に、前記鍔部から延出するとともに、前記膨出部の突出方向に対して反する方向に傾斜して形成された脚部を有する、という特徴を有する。
【００１５】
請求項４に記載のクリックバネは、前記脚部は、前記膨出部の外周端に略一致する第１円と同心で、かつ、直径の大きい第２円を境にして傾斜して形成されている、という特徴を有する。
【００１６】
請求項５に記載のクリックバネは、前記脚部は、外形形状に略一致する第１正方形と同心で、かつ、第１正方形に対して４５°ずらした第２正方形を境にして傾斜して形成されている、という特徴を有する。
【００１７】
請求項６に記載のクリックバネは、前記鍔部は、前記膨出部から水平方向に延出しており、前記脚部は、前記脚部の先端が配置される面に対して平行な面となるように段差部を有している、という特徴を有する。
【００１８】
請求項７に記載のクリックバネは、前記脚部の両側に切り欠き部を設けた、という特徴を有する。
【００１９】
請求項８に記載のプッシュスイッチは、請求項１ないし請求項６に記載のクリックバネと、前記クリックバネが接触する固定接点を備え、前記クリックバネを収容可能なハウジングと、を有するプッシュスイッチにおいて、前記クリックバネは、導電性を備えた材料からなり、前記ハウジングは、前記クリックバネを支持する支持部を有し、該支持部は、前記クリックバネの四隅の角近傍に対応する位置に形成されて、前記クリックバネを支持している、という特徴を有する。
【００２０】
請求項９に記載のプッシュスイッチは、可撓性を備え、第１接点部が設けられた第１基材と、第２接点部が設けられた第２基材と、請求項１ないし請求項６に記載のクリックバネと、を有するプッシュスイッチにおいて、前記第１接点部と前記第２接点部とが対向するとともに、前記第２基材の上方に、前記第１基材が離間して配置され、前記クリックバネは、前記第１基材の前記第１接点部が設けられた箇所の裏面に重ねて配置されている、という特徴を有する。
【考案の効果】
【００２１】
請求項１の考案によれば、可動接点の膨出部の周囲に鍔部を設け、平面視で正方形に模して形成された鍔部で膨出部を支持する構成とすることで、上方から膨出部を押圧されたときに、膨出部が反転動作するだけでなく、鍔部も押圧された方向へ撓むため、膨出部の反転動作に要するストロークと鍔部が撓むストロークを足したものが操作ストロークとなる。本考案のクリックバネにおける鍔部の構成がないクリックバネと比較して、鍔部が撓むストローク分だけ操作ストロークを長くすることができるため、小型化した場合でも操作ストロークの長いクリックバネを提供することができる、という効果を奏する。
【００２２】
請求項２の考案によれば、押圧操作により膨出部が反転する時に発生する応力をより確実に分散させることで、クラックの発生を防ぎ、長期間、安定したクリックバネの機能を保持することができる、という効果を奏する。
【００２３】
請求項３の考案によれば、鍔部に脚部を設けることで、脚部で膨出部および鍔部を支持する構成となるため、上方から膨出部を押圧されたときに、膨出部が反転動作するだけでなく、鍔部および脚部も押圧された方向へ撓むため、膨出部の反転動作に要するストロークと鍔部および脚部が撓むストロークを足したものが操作ストロークとなる。鍔部で膨出部を保持する構成と比較して、脚部が撓むストローク分だけ操作ストロークをより長くすることができるため、小型化した場合でもより操作ストロークの長いクリックバネを提供することができる、という効果を奏する。
【００２４】
請求項４の考案によれば、単純な形状の脚部にすることで、脚部を容易に形成することができるため、クリックバネの形状のバラツキが小さくなり、クリックバネの操作感触のバラツキをより小さくできる、という効果を奏する。
【００２５】
請求項５の考案によれば、鍔部と脚部との境目の形状を直線形状にすることで、クリックバネが押圧されたときに、鍔部と脚部との境目となる稜線を支点として撓むため、鍔部と脚部との境目の形状が円弧形状の場合と比較して撓みやすく、より操作ストロークを長くすることができる、という効果を奏する。
【００２６】
請求項６の考案によれば、脚部の先端に、脚部の先端が配置される面に対して平行な面を備えた段差部を設けたことで、クリックバネは面で支持され、配置されたときの姿勢が安定するとともに、膨出部が突出する方向からの押圧を受けた際には、段差部を設けた際にできる曲げ稜線を支点として撓むことが可能となり、小型化しても動作ストロークをより大きくすることが可能となる、という効果を奏する。
【００２７】
請求項７の考案によれば、脚部の両側に切り欠き部を設け、脚部の幅寸法を細くすることで、脚部が撓みやすくなり、膨出部が突出する方向からの押圧を受けた際には、より滑らかな動作が可能となる、という効果を奏する。
【００２８】
請求項８の考案によれば、操作ストロークを長くすることのできるクリックバネを用いるとともに、クリックバネの四隅の近傍を支持部１３ｂで支持する構成となる。支持部は、第１固定接点が設けられている収納部の底面に対して、凸状の段差形状に形成されているため、収納部の底面に対する支持部の高さ分だけさらに操作ストロークを長くすることができる。したがって、小型化した場合でも、操作ストロークが長いプッシュスイッチを提供することができる、という効果を奏する。
【００２９】
請求項９の考案によれば、操作ストロークを長くすることのできるクリックバネを用いるとともに、第１接点部と第２接点部とが対向するとともに、第２接点部の上方に、第１接点部が離間した状態で配置された構成となる。プッシュスイッチの操作ストロークは、クリックバネの操作ストロークに、第１接点部と第２接点部との離間距離を加えた長さとなる。クリックバネは小型化しても操作ストロークを長くすることができるとともに、第１接点部と第２接点部との離間距離を調節することができるため、小型化した場合でも、操作ストロークが長いプッシュスイッチを提供することができる、という効果を奏する。
【００３０】
以上より、本考案によれば、更に小型化した場合でも操作ストロークが長いクリックバネと、そのクリックバネを用いたプッシュスイッチを提供することができる。
【図面の簡単な説明】
【００３１】
【図１】第１実施形態におけるクリックバネ１２の外観を示す図である。
【図２】図１に記載する断面Ｉ−Ｉを示す断面図である。
【図３】第１実施形態におけるクリックバネ１２の変形例であるクリックバネ１２Ｂを示す断面図である。
【図４】第２実施形態におけるクリックバネ２２の外観を示す図である。
【図５】第３実施形態におけるクリックバネ３２の外観を示す図である。
【図６】図５に記載する断面Ｖ−Ｖを示す断面図であり、第３実施形態におけるクリックバネ３２の動作を説明する図である。
【図７】第４実施形態におけるクリックバネ４２の外観を示す図である。
【図８】第５実施形態におけるプッシュスイッチ１００の外観を示す斜視図である。
【図９】第６実施形態におけるプッシュスイッチ１００の構成を示す分解斜視図である。
【図１０】図８に示す断面ＶＩＩＩ−ＶＩＩＩを示す断面図である。
【図１１】操作部材１１の外観を示す斜視図である。
【図１２】ハウジング１３および固定接点１５を示す斜視図である。
【図１３】図１０に示す状態から操作部材１１を押圧操作した状態を示す図である。
【図１４】プッシュスイッチ２００の構成および動作を説明する断面図である。
【図１５】第１実施形態におけるクリックバネ１２の変形例であるクリックバネ１２Ｃを示す断面図である。
【図１６】特許文献１に記載のプッシュスイッチＳＷのドームコンタクトＤＣの外観を示す図である。
【考案を実施するための形態】
【００３２】
［第１実施形態］
以下に第１実施形態におけるクリックバネ１２について図１を用いて説明する。図１はクリックバネ１２の外観を示す図であり、図１（ａ）はクリックバネ１２を示す斜視図であり、図１（ｂ）は図１（ａ）に示すＺ１方向からみたクリックバネ１２を示す平面図であり、図１（ｃ）は図１（ａ）に示すＹ２方向からみたクリックバネ１２を示す側面図である。
【００３３】
クリックバネ１２は、図１（ａ）に示すような外形であり、弾性を有した金属の板材からなる。クリックバネ１２は、膨出部１２ａと鍔部１２ｂとを有し、Ｚ１方向である上方へ突出して円形のドーム状に形成された膨出部１２ａの周囲に延出して鍔部１２ｂが形成されている。また、クリックバネ１２は、図１（ａ）に示すＺ１方向から平面視したときに、図１（ｂ）に示すように、正方形に模した外形形状に形成されている。また、図１（ｂ）および図１（ｃ）に示すように、膨出部１２ａの外周端から鍔部１２ｂの外周端までの幅寸法ｗ１は、少なくともクリックバネ１２の板厚寸法ｔ１の２倍以上の寸法で形成されている。
【００３４】
クリックバネ１２は、その四隅の角に、鍔部１２ｂから延出して形成されるとともに、膨出部１２ａの突出方向に対して反する方向に傾斜して形成された脚部１２ｃを有する。脚部１２ｃは、膨出部１２ａの外周端に略一致する第１円Ｃ１と同心で、かつ、第１円Ｃ１よりも直径の大きい第２円Ｃ２を境にして傾斜して形成されている。
【００３５】
次にクリックバネ１２の動作について図２を用いて説明する。図２は図１に記載する断面Ｉ−Ｉを示す断面図であり、第１実施形態におけるクリックバネ１２の動作を説明する図である。図２（ａ）は、クリックバネ１２の初期状態を示す断面図であり、図２（ｂ）は、クリックバネ１２を押圧操作し始めた状態を示す断面図であり、図２（ｃ）は、クリックバネ１２をさらに押圧操作した状態を示す断面図である。なお、第２実施形態におけるクリックバネ２２の動作の説明にも図２を用いる。
【００３６】
クリックバネ１２は、初期状態においては、図２（ａ）に示すように、Ｚ１方向へ膨出部１２ａを突出させている。初期状態から膨出部１２ａを、例えば、人間の指などである押圧部材ＱでＺ１方向からＺ２方向へ押圧されると、図２（ｂ）に示すように、鍔部１２ｂおよび脚部１２ｃとが押圧された方向へ撓む。その後、さらにＺ１方向へ押圧すると、図２（ｃ）に示すように、Ｚ１方向へ突出して形成されていた膨出部１２ａは、Ｚ２方向へ突出する様に反転する。Ｚ２方向への押圧を止めると、クリックバネ１２のもつ復帰力により、クリックバネ１２は初期状態に復帰する。このように、膨出部１２ａが反転動作を行なうことで、押圧するために加える力が急激に変化するため、力の急激な変化が操作者には操作感触として認識される。
【００３７】
なお、前記説明において、クリックバネ１２は、平面視した場合の四隅の角に、鍔部１２ｂから延出するとともに、膨出部１２ａの突出方向に対して反する方向に傾斜して脚部１２ｃが形成された構成としたが、図３に示すように、脚部１２ｃを設けず、鍔部１２ｂを膨出部１２ａの突出方向に対して反する方向に傾斜させて設ける構成であっても良い。図３はクリックバネ１２の変形例の一つであるクリックバネ１２Ｂを示す断面図であり、図３（ａ）はクリックバネ１２Ｂの初期状態を示す断面図であり、図３（ｂ）はクリックバネ１２Ｂを押圧操作した状態を示す断面図である。なお、図３はクリックバネ１２Ｂを、図１に示す断面Ｉ−Ｉに相当する断面で切断した断面図である。また、名称および符号は、クリックバネ１２と同じものを使用する。
【００３８】
鍔部１２ｂを膨出部１２ａの突出方向に対して反する方向に傾斜させて設けることで、鍔部１２ｂが脚部１２ｃと同様の機能を得ることができ、図３（ａ）、図３（ｂ）に示すような動作が可能である。クリックバネ１２Ｂは、初期状態においては、図３（ａ）に示すように、Ｚ１方向へ膨出部１２ａを突出させている。初期状態から膨出部１２ａを、例えば、人間の指などである押圧部材ＱでＺ１方向からＺ２方向へ押圧されると、図３（ｂ）に示すように、鍔部１２ｂが押圧された方向へ撓み、Ｚ１方向へ突出して形成されていた膨出部１２ａは、Ｚ２方向へ突出する様に反転する。Ｚ２方向への押圧を止めると、クリックバネ１２Ｂのもつ復帰力により、クリックバネ１２Ｂは初期状態に復帰する。このように、クリックバネ１２Ｂは、クリックバネ１２と同様な動作が可能であり、膨出部１２ａが反転動作を行なうことで、押圧するために加える力が急激に変化するため、力の急激な変化が操作者には操作感触として認識される。
【００３９】
以下、本実施形態としたことによる効果について説明する。
【００４０】
本実施形態のクリックバネ１２では、上方へ突出して円形のドーム状に形成された膨出部１２ａと、膨出部１２ａの周囲に延出して形成された鍔部１２ｂとを有して、平面視で正方形に模した外形形状となっている、構成とした。
【００４１】
これにより、クリックバネ１２の膨出部１２ａの周囲に鍔部１２ｂを設け、平面視で正方形に模して形成された鍔部１２ｂで膨出部１２ａを支持する構成とすることで、上方から膨出部１２ａを押圧されたときに、膨出部１２ａが反転動作するだけでなく、鍔部１２ｂも押圧された方向へ撓むため、膨出部１２ａの反転動作に要するストロークと鍔部１２ｂが撓むストロークを足したものが操作ストロークとなる。クリックバネ１２における鍔部１２ｂの構成がないクリックバネと比較して、鍔部１２ｂが撓むストローク分だけ操作ストロークを長くすることができるため、小型化した場合でも操作ストロークの長いクリックバネを提供することができる、という効果を奏する。
【００４２】
また、これにより、鍔部１２ｂを設けることで、膨出部１２ａの外周端に応力が集中するのを防ぐことができ、集中応力が原因のクラックが膨出部１２ａに発生するのを防ぎ、長期間、安定したクリックバネの機能を保持することができるという効果を奏する。
【００４３】
また、本実施形態のクリックバネ１２では、膨出部１２ａの外周端から鍔部１２ｂの外周端までの幅寸法ｗ１は、少なくとも材料の板厚寸法ｔ１の２倍以上の寸法で形成されている、構成とした。
【００４４】
これにより、押圧操作により膨出部１２ａが反転する時に発生する応力をより確実に分散させることで、クラックの発生を防ぎ、長期間、安定したクリックバネの機能を保持することができる、という効果を奏する。
【００４５】
また、これにより、クラックの発生を防ぐために加工時に微調整を行なう必要がなくなるため、クリックバネ１２の加工が容易になり、クリックバネ１２の形状のバラツキが小さくなり、クリックバネ１２の操作感触のバラツキが小さくなるという効果を奏する。
【００４６】
また、これにより、クリックバネ１２の操作感触のバラツキが小さくなるため、複数個並べて使用されたときにも違和感なく使用できるクリックバネを提供することができるという効果を奏する。
【００４７】
また、本実施形態のクリックバネ１２では、平面視した場合の四隅の角に、鍔部１２ｂから延出するとともに、膨出部１２ａの突出方向に対して反する方向に傾斜して形成された脚部１２ｃを有する、構成とした。
【００４８】
これにより、鍔部１２ｂに脚部１２ｃを設けることで、脚部１２ｃで膨出部１２ａおよび鍔部１２ｂを支持する構成となるため、上方から膨出部１２ａを押圧されたときに、膨出部１２ａが反転動作するだけでなく、鍔部１２ｂおよび脚部１２ｃも押圧された方向へ撓むため、膨出部１２ａの反転動作に要するストロークと鍔部１２ｂおよび脚部１２ｃが撓むストロークを足したものが操作ストロークとなる。鍔部１２ｂで膨出部１２ａを保持する構成と比較して、脚部１２ｃが撓むストローク分だけ操作ストロークをより長くすることができるため、小型化した場合でもより操作ストロークの長いクリックバネを提供することができる、という効果を奏する。
【００４９】
また、本実施形態のクリックバネ１２では、脚部１２ｃは、膨出部１２ａの外周端に略一致する第１円Ｃ１と同心で、かつ、直径の大きい第２円Ｃ２を境にして傾斜して形成されている、構成とした。
【００５０】
これにより、単純な形状の脚部１２ｃにすることで、脚部１２ｃを容易に形成することができるため、クリックバネ１２の形状のバラツキが小さくなり、クリックバネ１２の操作感触のバラツキをより小さくできる、という効果を奏する。
【００５１】
［第２実施形態］
以下に第２実施形態におけるクリックバネ２２について図４を用いて説明する。図４はクリックバネ２２の外観を示す図であり、図４（ａ）はクリックバネ２２を示す斜視図であり、図４（ｂ）は図４（ａ）に示すＺ１方向からみたクリックバネ２２を示す平面図であり、図４（ｃ）は図４（ａ）に示すＹ２方向からみたクリックバネ２２を示す側面図である。
【００５２】
クリックバネ２２は、第１実施形態のクリックバネ１２における鍔部１２ｂと脚部１２ｃとの境目の形状が異なるものである。
【００５３】
クリックバネ２２は、図４（ａ）に示すような外形であり、弾性を有した金属の板材からなる。クリックバネ２２は、膨出部２２ａと鍔部２２ｂとを有し、Ｚ１方向である上方へ突出して円形のドーム状に形成された膨出部２２ａの周囲に延出して鍔部２２ｂが形成されている。また、クリックバネ２２は、図４（ａ）に示すＺ１方向から平面視したときに、図４（ｂ）に示すように、正方形に模した外形形状に形成されている。また、図４（ｂ）および図４（ｃ）に示すように、膨出部２２ａの外周端から鍔部２２ｂの外周端までの幅寸法ｗ２は、少なくともクリックバネ２２の板厚寸法ｔ２の２倍以上の寸法で形成されている。
【００５４】
クリックバネ２２は、その四隅の角に、鍔部２２ｂから延出して形成されるとともに、膨出部２２ａの突出方向に対して反する方向に傾斜して形成された脚部２２ｃを有する。脚部２２ｃは、クリックバネ２２の外形形状に略一致する第１正方形Ｓ２１と同心で、かつ第１正方形Ｓ２１に対して４５°ずらした第２正方形Ｓ２２を境にして傾斜して形成されている。
【００５５】
次にクリックバネ２２の動作は、第１実施形態におけるクリックバネ１２の動作とほぼ同じである為、説明は割愛する。
【００５６】
以下、本実施形態としたことによる効果について説明する。
【００５７】
本実施形態のクリックバネ２２では、脚部２２ｃは、外形形状に略一致する第１正方形Ｓ２１と同心で、かつ、第１正方形Ｓ２１に対して４５°ずらした第２正方形Ｓ２２を境にして傾斜して形成されている、構成とした。
【００５８】
これにより、鍔部２２ｂと脚部２２ｃとの境目の形状を直線形状にすることで、クリックバネ２２が押圧されたときに、鍔部２２ｂと脚部２２ｃとの境目となる稜線を支点として撓むため、鍔部２２ｂと脚部２２ｃとの境目の形状が円弧形状の場合と比較して撓みやすく、より操作ストロークを長くすることができる、という効果を奏する。
【００５９】
また、これにより、脚部２２ｃの境目の形状を単純な直線形状にすることで、クリックバネ２２の加工が容易になり、クリックバネ２２の形状のバラツキが小さくなり、より安定したスイッチ機能が得られる、という効果を奏する。
【００６０】
［第３実施形態］
以下に第３実施形態におけるクリックバネ３２について図５を用いて説明する。図５はクリックバネ３２の外観を示す図であり、図５（ａ）はクリックバネ２２を示す斜視図であり、図５（ｂ）は図５（ａ）に示すＺ１方向からみたクリックバネ２２を示す平面図であり、図５（ｃ）は図５（ａ）に示すＹ２方向からみたクリックバネ２２を示す側面図である。
【００６１】
クリックバネ３２は、第２実施形態のクリックバネ２２における脚部２２ｃの形状が異なるものである。
【００６２】
クリックバネ３２は、図５（ａ）に示すような外形であり、弾性を有した金属の板材からなる。クリックバネ３２は、膨出部３２ａと鍔部３２ｂとを有し、Ｚ１方向である上方へ突出して円形のドーム状に形成された膨出部３２ａの周囲に延出して鍔部３２ｂが形成されている。また、クリックバネ３２は、図５（ａ）に示すＺ１方向から平面視したときに図５（ｂ）に示すように、正方形に模した外形形状に形成されている。また、図５（ｂ）および図５（ｃ）に示すように、膨出部３２ａの外周端から鍔部３２ｂの外周端までの幅寸法ｗ３は、少なくともクリックバネ３２の板厚寸法ｔ３の２倍以上の寸法で形成されている。
【００６３】
クリックバネ３２は、その四隅の角に、鍔部３２ｂから延出して形成されるとともに、膨出部３２ａの突出方向に対して反する方向に傾斜して形成された脚部３２ｃを有する。鍔部３２ｂは膨出部３２ａから水平方向に延出しており、脚部３２ｃは、脚部３２ｃの先端が配置される面に対して平行な面となるように段差部３２ｄを有している。なお、クリックバネ３２の外形形状に略一致する第１正方形Ｓ３１と同心で、かつ、第１正方形Ｓ３１に対して４５°ずらした第２正方形Ｓ３２を鍔部３２ｂと脚部３２ｃとの境界としている。また、脚部３２ｃにおける段差部３２ｄの境界は、鍔部３２ｂと脚部３２ｃとの境界と同様に、クリックバネ３２の外形形状に略一致する第１正方形Ｓ３１と同心で、かつ、第１正方形Ｓ３１に対して４５°ずらした第３正方形Ｓ３３であり、第３正方形Ｓ３３の一辺の長さは第２正方形Ｓ３２よりも大きい。また、本実施形態では、膨出部３２ａの頭頂部に円形状の貫通孔である開口３２ｅを設けているが、必要に応じて設ければよい。
【００６４】
次にクリックバネ３２の動作について図６を用いて説明する。図６は、図５に記載する断面Ｖ−Ｖを示す断面図であり、第３実施形態におけるクリックバネ３２の動作を説明する図である。図６（ａ）は、クリックバネ３２の初期状態を示す断面図であり、図６（ｂ）は、クリックバネ３２を押圧操作し始めた状態を示す断面図であり、図６（ｃ）は、クリックバネ３２をさらに押圧操作した状態を示す断面図である。なお、第４実施形態におけるクリックバネ４２の動作の説明にも図６を用いる。また、図６においては、説明を容易にするため、開口３２ｅは記載していない。
【００６５】
以下、本実施形態としたことによる効果について説明する。
【００６６】
また、本実施形態のクリックバネ３２では、鍔部３２ｂは、膨出部３２ａから水平方向に延出しており、脚部３２ｃは、脚部３２ｃの先端が配置される面に対して平行な面となるように段差部３２ｄを有している、構成とした。
【００６７】
これにより、脚部３２ｃの先端に、脚部３２ｃの先端が配置される面に対して平行な面を備えた段差部３２ｄを設けたことで、クリックバネ３２は面で支持され、配置されたときの姿勢が安定するとともに、膨出部３２ａが突出する方向からの押圧を受けた際には、段差部３２ｄを設けた際にできる曲げ稜線を支点として撓むことが可能となり、小型化しても動作ストロークをより大きくすることが可能となる、という効果を奏する。
【００６８】
［第４実施形態］
以下に第４実施形態におけるクリックバネ４２について図７を用いて説明する。図７はクリックバネ４２の外観を示す図であり、図７（ａ）はクリックバネ２２を示す斜視図であり、図７（ｂ）は図７（ａ）に示すＺ１方向からみたクリックバネ２２を示す平面図であり、図７（ｃ）は図７（ａ）に示すＹ２方向からみたクリックバネ２２を示す側面図である。
【００６９】
クリックバネ４２は、第３実施形態のクリックバネ３２における脚部３２ｃの形状が異なるものである。
【００７０】
クリックバネ４２は、図７（ａ）に示すような外形であり、弾性を有した金属の板材からなる。クリックバネ４２は、膨出部４２ａと鍔部４２ｂとを有し、Ｚ１方向である上方へ突出して円形のドーム状に形成された膨出部４２ａの周囲に延出して鍔部４２ｂが形成されている。また、クリックバネ４２は、図７（ａ）に示すＺ１方向から平面視したときに図７（ｂ）に示すように、正方形に模した外形形状に形成されている。また、図７（ｂ）および図７（ｃ）に示すように、膨出部４２ａの外周端から鍔部４２ｂの外周端までの幅寸法ｗ４は、少なくともクリックバネ４２の板厚寸法ｔ４の２倍以上の寸法で形成されている。
【００７１】
クリックバネ４２は、その四隅の角に、鍔部４２ｂから延出して形成されるとともに、膨出部４２ａの突出方向に対して反する方向に傾斜して形成された脚部４２ｃを有する。鍔部４２ｂは膨出部４２ａから水平方向に延出しており、脚部４２ｃは、脚部４２ｃの先端配置される面に対して平行な面となるように段差部４２ｄを有している。また、脚部４２ｃの両側には切り欠き部４２ｆを設け、脚部４２ｃの幅寸法を細く形成している。なお、クリックバネ４２の外形形状に略一致する第１正方形Ｓ４１と同心で、かつ、第１正方形Ｓ３１に対して４５°ずらした第２正方形Ｓ４２を鍔部４２ｂと脚部４２ｃとの境界としている。また、脚部４２ｃにおける段差部４２ｄの境界は、鍔部４２ｂと脚部４２ｃとの境界と同様に、クリックバネ４２の外形形状に略一致する第１正方形Ｓ４１と同心で、かつ、第１正方形Ｓ４１に対して４５°ずらした第３正方形Ｓ４３であり、第３正方形Ｓ４３の一辺の長さは第２正方形Ｓ４２よりも大きい。また、本実施形態では、膨出部４２ａの頭頂部に円形状の貫通孔である開口４２ｅを設けているが、必要に応じて設ければよい。
【００７２】
次にクリックバネ４２の動作は、第３実施形態におけるクリックバネ３２の動作とほぼ同じである為、説明は割愛する。
【００７３】
以下、本実施形態としたことによる効果について説明する。
【００７４】
また、本実施形態のクリックバネ４２では、第３実施形態のクリックバネ３２における脚部３２ｃの両側に切り欠き部４２ｆを設けた、構成とした。
【００７５】
これにより、脚部４２ｃの両側に切り欠き部４２ｆを設け、脚部４２ｃの幅寸法を細くした。脚部４２ｃの幅寸法を細くすることで、脚部４２ｃが撓みやすくなり、膨出部４２ａが突出する方向からの押圧を受けた際には、より滑らかな動作が可能となる、という効果を奏する。
【００７６】
［第５実施形態］
以下に第５実施形態におけるプッシュスイッチ１００について説明する。プッシュスイッチ１００は、第１実施形態ないし第４実施形態で説明したクリックバネ１２、クリックバネ２２、クリックバネ３２、およびクリックバネ４２のいずれかを用いて構成したプッシュスイッチである。なお、以下の説明においては、第１実施形態におけるクリックバネ１２を用いた構成で説明するが、クリックバネ２２、クリックバネ３２、およびクリックバネ４２であっても良い。
【００７７】
まず始めに本実施形態におけるプッシュスイッチ１００の構成について図８ないし図１２を用いて説明する。図８はプッシュスイッチ１００の外観を示す図であり、図８（ａ）はプッシュスイッチ１００の外観を示す斜視図であり、図８（ｂ）は図８（ａ）に示すＺ１方向からプッシュスイッチ１００を見た状態を示す平面図である。図９はプッシュスイッチ１００の構成を示す分解斜視図である。図１０は、図８に示す断面ＶＩＩＩ−ＶＩＩＩを示す断面図である。なお、説明を容易にするために、第１固定接点１５ａは本来の位置と異なる位置に描いている。図１１は操作部材１１の外観を示す斜視図であり、図１１（ａ）は操作部材１１を上方側から見た斜視図であり、図１１（ｂ）は操作部材１１を下方側から見た斜視図である。図１２は、ハウジング１３および固定接点１５を示す斜視図である。
【００７８】
プッシュスイッチ１００は、図８に示すような外観をしており、図９および図１０に示すように、外部から操作を受ける操作部材１１と、操作を受けた操作部材１１に押圧され変形可能なクリックバネ１２と、クリックバネ１２が接触する固定接点１５を備え、操作部材１１とクリックバネ１２とを収容可能なハウジング１３と、操作部材１１とクリックバネ１２とをハウジング１３内に保持するフレーム１４とを有している。
【００７９】
操作部材１１は、図１１（ａ）および図１１（ｂ）に示すように、一部を除きゴム材からなり、略平板状に形成されている。操作部材１１は平板状に形成された基部１１ａを有し、基部１１ａの中央には基部１１ａに対して垂直な方向に突出して略円錐形に形成された伸縮部１１ｂが設けられている。伸縮部１１ｂの先端部には外部から操作を受ける操作部１１ｃが形成されている。操作部１１ｃは、例えば、合成樹脂材料からなる円盤状に形成され、接着剤などにより伸縮部１１ｂの先端部に固定されている。
【００８０】
伸縮部１１ｂに対応する裏面側には、円筒状に形成された付勢部１１ｄが設けられている。付勢部１１ｄの周囲には溝部１１ｅが形成されている。
【００８１】
伸縮部１１ｂは、操作部１１ｃが押圧されると、押圧された方向（Ｚ２方向）に縮み、押圧をやめると伸縮部１１ｂの持つ弾性力により押圧前の形状に戻る。また、付勢部１１ｄは、伸縮部１１ｂの伸縮動作に伴ってＺ１−Ｚ２方向に移動する。
【００８２】
クリックバネ１２は、第１実施形態において説明している為、詳細の説明は割愛するが、導電性を備えた材料からなる。
【００８３】
ハウジング１３は、図１２に示すように、合成樹脂材からなり、上面を開放した中空の略直方体形状に形成されている。中空となっている内部は、底面の形状が略矩形に形成され、クリックバネ１２を収納可能な収納部１３ａとなっている。また、ハウジング１３は、収納部１３ａに収納されたクリックバネ１２を支持する支持部１３ｂを有している。支持部１３ｂは、収納部１３ａの四隅に配設され、収納部１３ａの底面に対して凸状の段差形状に形成されている。また、ハウジング１３の対向する一組の外周面には外方へ突出して形成された突出部１３ｃが形成されている。なお、ハウジング１３には導電性を有した金属の板材からなる配線回路が埋設され、その一端は収納部１３ａの内部底面に露出し、クリックバネ１２と接触可能な固定接点１５を形成し、他端はハウジング１３の外周面から露出し、外部と電気的な接続が可能な接続端子１３ｄを形成している。接続端子１３ｄは、突出部１３ｃが形成されていない外周面から露出している。
【００８４】
フレーム１４は、図９に示すように、金属の板材からなる。フレーム１４は、操作部材１１の伸縮部１１ｂおよび操作部１１ｃを挿通可能な開口部１４ｂを備え、矩形状に形成された天面１４ａを有している。また、ハウジング１３の突出部１３ｃを挿通可能な開口を備えた係合部１４ｃが、天面１４ａの対向する１組の端面から天面１４ａに対して垂直な方向へ延出して設けられている。
【００８５】
固定接点１５は、図１２に示すように、クリックバネ１２が接離する第１固定接点１５ａと、クリックバネ１２に常時、電気的に接続している第２固定接点１５ｂとからなる。第１固定接点１５ａは、少なくとも収納部１３ａの底面と面一で、収納部１３ａの底面に対して凸形状となるように、収納部１３ａの中央付近から露出して形成されている。なお、本実施形態においては、第１固定接点１５ａは、収納部１３ａの底面の中心を基点として、３方向へ内角が同じ角度になるように放射状に露出して配設されている。また、第２固定接点１５ｂは、４箇所設けられた支持部１３ｂからそれぞれ露出し、少なくとも支持部１３ｂと面一で、支持部１３ｂに対して凸形状となるように形成されている。
【００８６】
次にプッシュスイッチ１００の構造について図９および図１０を用いて説明する。
【００８７】
図９および図１０に示すように、クリックバネ１２は、膨出部１２ａがハウジング１３の収納部１３ａの底面から離れる方向へ突出するように、収納部１３ａ内に配設される。このとき、クリックバネ１２の四隅の角である脚部１２ｃの近傍に対応する位置に支持部１３ｂ形成されている。つまり、クリックバネ１２は、脚部１２ｃが支持部１３ｂに対応するように配置され、支持部１３ｂは、脚部１２ｃを支持することでクリックバネ１２を支持する。クリックバネ１２は、脚部１２ｃが支持部１３ｂから露出して形成されている第２固定接点１５ｂと接触し、電気的に導通した状態で配置されるとともに、膨出部１２ａは外部からの押圧に応じて第１固定接点１５ａと接離可能な位置に配置されている。
【００８８】
操作部材１１は、クリックバネ１２が収納された収納部１３ａを覆うように、ハウジング１３に重ねて配置される。このとき、操作部材１１は、付勢部１１ｄがクリックバネ１２の膨出部１２ａと当接可能となるように配置されている。
【００８９】
フレーム１４は、操作部材１１の操作部１１ｃおよび伸縮部１１ｂを開口部１４ｂに挿通し、係合部１４ｃがハウジング１３の突出部１３ｃと係合可能な向きで、ハウジング１３の上に重ねて配設される。係合部１４ｃと突出部１３ｃとが係合することで、フレーム１４はハウジング１３の上に保持されるとともに、操作部材１１とクリックバネ１２とをＺ１−Ｚ２方向に変形可能な状態で収納部１３ａ内に保持する。
【００９０】
このようにしてプッシュスイッチ１００は形成される。
【００９１】
次にプッシュスイッチ１００の動作について図１０および図１３を用いて説明する。図１３は図１０に示す状態から操作部材１１を押圧操作した状態を示す図である。
【００９２】
操作部材１１の操作部１１ｃを、図１０に示す矢印Ｐの方向（Ｚ２方向）へ押圧すると、操作部材１１が撓み、操作部１１ｃの裏面に設けられた付勢部１１ｄがクリックバネ１２の膨出部１２ａを押圧する。さらに矢印Ｐの方向に押圧すると、図１３に示すように、付勢部１１ｄに押圧されたクリックバネ１２はＺ２方向に撓み、膨出部１２ａが反転動作するとともに、鍔部１２ｂもＺ２方向に撓み、膨出部１２ａと第１固定接点１５ａとが接触し、クリックバネ１２を介して、第１固定接点１５ａと第２固定接点１５ｂとの間の電気的な導通が得られる。
【００９３】
Ｚ２方向への押圧を止めると、クリックバネ１２のもつ復帰力により、クリックバネ１２および操作部材１１は押圧前の位置に復帰し、第１固定接点１５ａと第２固定接点１５ｂとの間の電気的な導通がなくなる。この様にして、第１固定接点１５ａと第２固定接点１５ｂとの間の電気的な導通状態を切り換えることで、スイッチとして機能する。
【００９４】
以下、本実施形態としたことによる効果について説明する。なお、以下の効果の記載においては、第１実施形態におけるクリックバネ１２を用いた形態における効果を記載しているが、第２実施形態ないし第４実施形態におけるクリックバネ２２、またはクリックバネ３２、またはクリックバネ４２を用いた形態であっても、同等以上の効果を得られる。
【００９５】
本実施形態のプッシュスイッチ１００では、第１実施形態におけるクリックバネ１２と、クリックバネ１２が接触する固定接点１５を備え、クリックバネ１２を収容可能なハウジング１３と、を有するプッシュスイッチにおいて、
クリックバネ１２は、導電性を備えた材料からなり、
ハウジング１３は、クリックバネ１２を支持する支持部１３ｂを有し、
支持部１３ｂは、クリックバネ１２の四隅の角近傍に対応する位置に形成されて、クリックバネ１２を支持している、とした。
【００９６】
これにより、操作ストロークを長くすることのできるクリックバネ１２を用いるとともに、クリックバネ１２の四隅の近傍に設けられた脚部１２ｃを支持部１３ｂで支持する構成となる。支持部１３ｂは、第１固定接点１５ａが設けられている収納部１３ａの底面に対して、凸状の段差形状に形成されているため、収納部１３ａの底面に対する支持部１３ｂの高さ分だけさらに操作ストロークを長くすることができる。したがって、小型化した場合でも、操作ストロークの長いプッシュスイッチを提供することができる、という効果を奏する。
【００９７】
また、本実施形態のプッシュスイッチ１００では、クリックバネ１２は導電性を有する材料から形成する、構成とした。
【００９８】
これにより、クリックバネ１２は操作感触を操作者に与えるだけでなく、プッシュスイッチ１００の様な構成のスイッチにおいて、動作可能な接点部材として用いることができる、という効果を奏する。
【００９９】
また、本実施形態のプッシュスイッチ１００では、第１固定接点１５ａが収納部１３ａの底面の中心を基点として、例えば、３方向へ等距離等間隔になるように放射状に露出して配設される構成とした。
【０１００】
これにより、例えば、図４に示すクリックバネ３２を用いた場合、クリックバネ３２と第１固定接点１５ａとは、開口３２ｅの端面の角が第１固定接点１５ａと接触することで電気的な導通が得られる。第１固定接点１５ａが収納部１３ａの底面の中心を基点として、例えば、３方向へ等距離等間隔になるように放射状に露出して配設されていることで、クリックバネ３２と第１固定接点１５ａとが接触可能な範囲を広く取ることができ、より確実に電気的な導通を得ることができるという効果を奏する。また、第１固定接点１５ａを少なくとも３方向へ放射状に設けることで、操作部１１ｃを斜め方向に押圧された場合でも、クリックバネ３２と第１固定接点１５ａとがより確実に接触しやすくなり、安定したスイッチ機能を得ることができるという効果を奏する。
【０１０１】
［第６実施形態］
以下に第６実施形態におけるプッシュスイッチ２００について説明する。プッシュスイッチ２００は、第１実施形態ないし第４実施形態で説明したクリックバネ１２、クリックバネ２２、クリックバネ３２、およびクリックバネ４２のいずれかを用いて構成したプッシュスイッチである。なお、以下の説明においては、第１実施形態におけるクリックバネ１２を用いた構成で説明するが、クリックバネ２２、クリックバネ３２、およびクリックバネ４２であっても良い。
【０１０２】
まず始めに本実施形態におけるプッシュスイッチ２００の構成について図１４を用いて説明する。図１４は、プッシュスイッチ２００の構成および動作を説明する断面図であり、図１４（ａ）はプッシュスイッチ２００の初期状態を示す断面図であり、図１４（ｂ）はプッシュスイッチ２００が操作された状態を示す断面図である。
【０１０３】
プッシュスイッチ２００は、図１４に示すように、第１接点部５１ａが設けられた第１基材５１と、第２接点部６１ａが設けられた第２基材６１と、第１実施形態によるクリックバネ１２と、接点配置穴７１ａが設けられた第１のスペーサ７１と、バネ配置穴８１ａが設けられた第２のスペーサ８１と、クリックバネ１２を保持するカバーシート９１と、を備えている。
【０１０４】
クリックバネ１２は、第１実施形態において説明している為、詳細な説明は割愛する。
【０１０５】
第１基材５１は、可撓性を備えた合成樹脂材料からなり、シート状に形成されている。第１基材５１の一方の面には、導電性を有した材料からなる第１接点部５１ａが平板状に形成されている。なお、説明を容易にするため図示していないが、第１基材５１には、第１接点部５１ａが外部と電気的な導通を行なう為に配線パターンが設けられている。
【０１０６】
第２基材６１は、合成樹脂材料からなり、シート状に形成されている。第２基材６１の一方の面には、導電性を有した材料からなる第２接点部６１ａが平板状に形成されている。なお、説明を容易にするため図示していないが、第２基材６１には、第２接点部６１ａが外部と電気的な導通を行なう為に配線パターンが設けられている。
【０１０７】
第１のスペーサ７１は、絶縁性の合成樹脂材料からなり、シート状に形成されている。第１のスペーサ７１は、第１接点部５１ａおよび第２接点部６１ａを挿入可能な開口面積を有し、貫通孔として形成された接点配置穴７１ａを備えている。第１のスペーサ７１の厚さ寸法は、第１接点部５１ａの厚さ寸法および第２接点部６１ａの厚さ寸法を合計した値よりも厚く設定されている。
【０１０８】
第２のスペーサ８１は、合成樹脂材料からなり、シート状に形成されている。第２のスペーサ８１は、クリックバネ１２を挿入可能な開口面積を有し、貫通孔として形成されたバネ配置穴８１ａを備えている。
【０１０９】
カバーシート９１は、可撓性を備えた合成樹脂材料からなり、シート状に形成されている。
【０１１０】
次にプッシュスイッチ２００の構造について図１４を用いて説明する。第１基材５１は、第１接点部５１ａを上方であるＺ１方向にむけて配置され、第１基材５１の上方に積層して第１のスペーサ７１が配置され、接着剤などにより保持されている。このとき、第１接点部５１ａは、接点配置穴７１ａに挿入した状態で配置されている。第１のスペーサ７１の上方には、第２基材６１が第２接点部６１ａを下方であるＺ２方向に向けた状態で積層して配置され、接着剤などにより保持されている。このとき、第２接点部６１ａは、接点配置穴７１ａに挿入され、第１接点部５１ａと第２接点部６１ａとが対向した状態で配置されている。したがって、第１基材５１と第２基材６１とは、間に第１のスペーサ７１を挟むことで、第２基材６１の上方に、第１基材５１が離間して配置されている。また、第１のスペーサ７１の厚さ寸法は、第１接点部５１ａの厚さ寸法と第２接点部６１ａの厚さ寸法を合計した値よりも厚いため、第１接点部５１ａと第２接点部６１ａとは離間しており、電気的な接続はない。第２のスペーサ８１は、第１基材５１の上方に積層して配置され、接着剤などにより保持されている。このとき、バネ配置穴８１ａは、接点配置穴７１ａに対応した上方位置に配置されている。クリックバネ１２は、接点配置穴７１ａの内部に反転動作が可能となる向きで配置される。これにより、クリックバネ１２は、第１基材５１の第１接点部５１ａが設けられた箇所の裏面に重ねて配置される。クリックバネ１２および第２のスペーサ８１の上部を覆うように、カバーシート９１が積層して配置され、接着剤などにより保持されている。このようにしてプッシュスイッチ２００が形成される。
【０１１１】
次にプッシュスイッチ２００の動作について図１４を用いて説明する。プッシュスイッチ２００を、図１４（ａ）に示す状態から、指などの押圧部材Ｑを用いて、カバーシート９１を介してクリックバネ１２をＺ２方向へ押圧すると、クリックバネ１２は押圧された方向へ撓んだ後に反転し、第１基材５１に接触する。さらにクリックバネ１２をＺ２方向へ押圧すると、第１基材５１は可撓性を備えた材料からなるため、クリックバネ１２とともにＺ２方向へ撓む。このとき、第１基材５１がクリックバネ１２により押圧されている箇所の裏面側には第１接点部５１ａが設けられているため、第１接点部５１ａは、対向した位置に離間して配置された第２接点部６１ａの方向へ移動する。さらにクリックバネ１２をＺ２方向へ押圧すると、図１４（ｂ）に示すように、第１接点部５１ａは第２接点部６１ａに接触し、第１接点部５１ａと第２接点部６１ａとの間は電気的に導通する。また、クリックバネ１２に加えていた押圧を解除すると、クリックバネ１２の復帰力により初期状態に復帰する。このように、第１接点部５１ａと第２接点部６１ａとの間の電気的な導通を切り換えることでスイッチとして機能する。
【０１１２】
以下、本実施形態としたことによる効果について説明する。
【０１１３】
本実施形態のプッシュスイッチ２００では、可撓性を備え、第１接点部５１ａが設けられた第１基材５１と、第２接点部６１ａが設けられた第２基材６１と、第１実施形態によるクリックバネ１２と、を有するプッシュスイッチにおいて、第１接点部５１ａと第２接点部６１ａとが対向するとともに、第２基材６１の上方に、第１基材５１が離間して配置され、クリックバネ１２は、第１基材５１の第１接点部５１ａが設けられた箇所の裏面に重ねて配置されている、構成とした。
【０１１４】
これにより、操作ストロークを長くすることのできるクリックバネ１２を用いるとともに、第１接点部５１ａと第２接点部６１ａとが対向するとともに、第２接点部６１ａの上方に、第１接点部５１ａが離間した状態で配置された構成となる。プッシュスイッチ２００の操作ストロークは、クリックバネ１２の操作ストロークに、第１接点部５１ａと第２接点部６１ａとの離間距離を加えた長さとなる。クリックバネ１２は小型化しても操作ストロークを長くすることができるとともに、第１接点部５１ａと第２接点部６１ａとの離間距離は第１のスペーサ７１の厚さを調節することができるため、小型化した場合でも、操作ストロークが長いプッシュスイッチを提供することができる、という効果を奏する。
【０１１５】
以上のように、本考案の実施形態に係るクリックバネおよびクリックバネを用いたプッシュスイッチを具体的に説明したが、本考案は上記の実施形態に限定されるものではなく、要旨を逸脱しない範囲で種々変更して実施することが可能である。例えば次のように変形して実施することができ、これらの実施形態も本考案の技術的範囲に属する。
【０１１６】
（１）第１実施形態のクリックバネ１２において、平面視した場合の四隅の角に、鍔部１２ｂから延出するとともに、膨出部１２ａの突出方向に対して反する方向に傾斜して脚部１２ｃが形成された構成とした。仮に、クリックバネ１２が配置される箇所が、図１５に示すように、クリックバネ１２の四隅に対応する箇所が、他の箇所よりも高く設定された箇所に配置される場合には、以下のような構成のクリックバネ１２Ｃでも良い。クリックバネ１２Ｃは、クリックバネ１２における脚部１２ｃを設けず、鍔部１２ｂを、クリックバネ１２が配置される面に平行となる方向に延出して設ける構成である。配置される箇所が、図１５に示すように、クリックバネ１２の四隅に対応する箇所が、他の箇所よりも高く設定された箇所に配置される場合には、鍔部１２ｂでクリックバネ１２Ｃを支持することで、配置位置の段差の高さ分だけ操作ストロークを長くすることができ、小型化した場合でも、操作ストロークが長いクリックバネを提供することができる。なお、図１５は、クリックバネ１２の変形例の一つであるクリックバネ１２Ｃを示す断面図であり、図１５（ａ）はクリックバネ１２Ｃの初期状態を示す断面図であり、図１５（ｂ）はクリックバネ１２Ｃを押圧操作した状態を示す断面図である。なお、図１５はクリックバネ１２Ｃを、図１に示す断面Ｉ−Ｉに相当する断面で切断した断面図である。また、名称および符号は、クリックバネ１２と同じものを使用する。
【符号の説明】
【０１１７】
１１    操作部材
１１ａ  基部
１１ｂ  伸縮部
１１ｃ  操作部
１１ｄ  付勢部
１１ｅ  溝部
１２    クリックバネ
１２Ｂ  クリックバネ
１２Ｃ  クリックバネ
１２ａ  膨出部
１２ｂ  鍔部
１２ｃ  脚部
１３    ハウジング
１３ａ  収納部
１３ｂ  支持部
１３ｃ  突出部
１３ｄ  接続端子
１４    フレーム
１４ａ  天面
１４ｂ  開口部
１４ｃ  係合部
１５    固定接点
１５ａ  第１固定接点
１５ｂ  第２固定接点
２２    可動接点
２２ａ  膨出部
２２ｂ  鍔部
２２ｃ  脚部
３２    可動接点
３２ａ  膨出部
３２ｂ  鍔部
３２ｃ  脚部
３２ｄ  段差部
３２ｅ  開口
４２    可動接点
４２ａ  膨出部
４２ｂ  鍔部
４２ｃ  脚部
４２ｄ  段差部
４２ｅ  開口
４２ｆ  切り欠き部
５１    第１基材
５１ａ  第１接点部
６１    第２基材
６１ａ  第２接点部
７１    第１のスペーサ
７１ａ  接点配置穴
８１    第２のスペーサ
８１ａ  バネ配置穴
９１    カバーシート
１００  スイッチ
２００  スイッチ
Ｃ１    第１円
Ｃ２    第２円
Ｓ２１  第１正方形
Ｓ２２  第２正方形
Ｓ３１  第１正方形
Ｓ３２  第２正方形
Ｓ３３  第３正方形
Ｓ４１  第１正方形
Ｓ４２  第２正方形
Ｓ４３  第３正方形
ｔ１    板厚寸法
ｔ２    板厚寸法
ｔ３    板厚寸法
ｔ４    板厚寸法
ｗ１    幅寸法
ｗ２    幅寸法
ｗ３    幅寸法
ｗ４    幅寸法
【図１】
0003178218.tif 000003
【図２】
0003178218.tif 000004
【図３】
0003178218.tif 000005
【図４】
0003178218.tif 000006
【図５】
0003178218.tif 000007
【図６】
0003178218.tif 000008
【図７】
0003178218.tif 000009
【図８】
0003178218.tif 000010
【図９】
0003178218.tif 000011
【図１０】
0003178218.tif 000012
【図１１】
0003178218.tif 000013
【図１２】
0003178218.tif 000014
【図１３】
0003178218.tif 000015
【図１４】
0003178218.tif 000016
【図１５】
0003178218.tif 000017
【図１６】
0003178218.tif 000018